(57)【特許請求の範囲】
【請求項１】
一枚のフィルムシートから角筒状に形成された袋の四角形状を呈する袋底面(16)の全周縁に亘ってリブ用横シール部(18)が形成されると共に、該袋底面(16)における各角部に対応する袋胴部(12)に袋高さ方向に延在するリブ用縦シール部(14)が夫々形成され、袋上部に、対向する側面にガセット折込み部(56)が夫々形成されると共に上部横シール部(58)が形成された自立性包装袋であって、
前記袋底面(16)に、前記リブ用横シール部(18)の上縁に位置し、一方の対角に亘って直線的に延在して袋底面(16)を広がった状態に保持可能な梁部(20)としての折線が形成されると共に、
該梁部(20)を頂部として袋内方側に向けて傾斜する略三角形状の傾斜部(21)と、該傾斜部(21)における一つの辺部を構成する前記梁部(20)とは別の各辺部(42,42)に連設されて角筒状の袋胴部(12)における一側面(12b)の内側に沿って重合するよう折込み形成された第１折込重合部(52)および前記一側面(12b)と交わる他方の側面(12a)の内側に沿って重合するよう折込み形成された第２折込重合部(54)からなる折込部(22)が、梁部(20)を挟む両側に形成され、
前記各折込部(22)の袋内方側の折込頂部(24)は、梁部(20)が延在する対角とは異なる対角の夫々に一致するよう設定され、
前記各折込重合部(52,54)は、対応する側面(12a,12b)との重合稜線部またはその全面が側面内側に溶着されている
ことを特徴とする自立性包装袋。
【発明の詳細な説明】
【０００１】
【発明の属する技術分野】
本発明は、自立性包装袋、特に袋底面を広げた状態で自立させることのできる自立性包装袋に関するものである。
【０００２】
【従来の技術】
食品その他の物品が充填されるプラスチックフィルムからなる自立性包装袋では、その袋底面を広げた状態で自立させるように形成される。この包装袋に充填される物品が、例えば揚げ菓子やクッキー等の軽量物である場合、袋内に充填された物品の荷重により袋底面が確実に広がった状態とならず、自立安定性に欠けたり、あるいは袋底面の広がり状態のバラツキによって包装後の袋形状に差が発生し、販売される際の店頭における陳列状態での見栄えに悪影響を及ぼす等の問題がある。このような場合の１つの解決策として、従来では、例えば特開平１１−１１５９４８号公報で提案されているように、包装袋の底部側に紙製ホルダー等の硬性の保形材を別途挿入することによって、袋底面の拡開状態を保持していた。
【０００３】
【発明が解決しようとする課題】
前述した構成の自立性包装袋によれば、袋製袋後において、包装袋の上部開口から保形材を挿入する工程が別途必要になる。また、該包装袋は袋素材(プラスチックフィルム)と異なる材質(紙製)の保形材を有しているため、物品の使用後に消費者が包装袋を廃棄するに際しては、異なる材質の材料を分別する煩雑な作業が必要となる問題も指摘される。
【０００４】
【発明の目的】
この発明は、前述した従来の技術に内在している前記課題に鑑み、これを好適に解決するべく提案されたものであって、袋素材と異なる材質の保形材等を用いることなく、袋底面を広げた状態に保持することが可能な自立性包装袋を提供することを目的とする。
【０００５】
【課題を解決するための手段】
前述した課題を解決し、所期の目的を好適に達成するため、本発明に係る自立性包装袋は、
一枚のフィルムシートから角筒状に形成された袋の四角形状を呈する袋底面の全周縁に亘ってリブ用横シール部が形成されると共に、該袋底面における各角部に対応する袋胴部に袋高さ方向に延在するリブ用縦シール部が夫々形成され、袋上部に、対向する側面にガセット折込み部が夫々形成されると共に上部横シール部が形成された自立性包装袋であって、
前記袋底面に、前記リブ用横シール部の上縁に位置し、一方の対角に亘って直線的に延在して袋底面を広がった状態に保持可能な梁部としての折線が形成されると共に、
該梁部を頂部として袋内方側に向けて傾斜する略三角形状の傾斜部と、該傾斜部における一つの辺部を構成する前記梁部とは別の各辺部に連設されて角筒状の袋胴部における一側面の内側に沿って重合するよう折込み形成された第１折込重合部および前記一側面と交わる他方の側面の内側に沿って重合するよう折込み形成された第２折込重合部からなる折込部が、梁部を挟む両側に形成され、
前記各折込部の袋内方側の折込頂部は、梁部が延在する対角とは異なる対角の夫々に一致するよう設定され、
前記各折込重合部は、対応する側面との重合稜線部またはその全面が側面内側に溶着されていることを特徴とする。
【０００６】
【作用】
袋底面に形成された梁部と、該梁部を頂部として袋内方側に向けて傾斜する傾斜部および袋内側面に沿って重合するよう折込み形成された折込重合部からなる折込部とにより、該袋底面を広がった状態に保持することができ、充填される物品の性状等によって自立安定性が低下したり袋形状に差が発生することなく、安定した自立性を確保し得る。袋素材とは別材質の保形材を用いることなく袋底面を広がった状態に保持でき、分別廃棄の手間がなくなる。また折込部の折込重合部が、袋内側面との重合稜線部またはその全面において該袋内側面に溶着されることで、袋の保形性および自立性が向上する。更に、袋底面における複数の角部に対応する袋胴部に形成された袋高さ方向に延在する縦シール部または袋底面の全周縁に亘って形成された横シール部により、袋の保形性が確保される。
【０００７】
【発明の実施の形態】
次に、本発明に係る自立性包装袋につき、好適な実施例を挙げて、添付図面を参照しながら以下説明する。
【０００８】
図１は、実施例に係る自立性包装袋を斜視状態で示すものであり、図２は、自立性包装袋の上部を開口した状態で底面側からの斜視状態で示すものである。実施例の自立性包装袋１０は、一枚の片面溶着性のフィルムシートから構成されたものであって、その袋胴部１２は、底部が四角形となる角筒状に形成される。この袋胴部１２には、自立性包装袋１０の四角形状を呈する袋底面１６の四方の角部に対応する位置に、底部から上部に亘る袋高さ方向に延在するリブ用縦シール部(縦シール部)１４が夫々形成されている。また袋底面１６の全周縁に、リブ用横シール部(横シール部)１８が形成されており、該リブ用横シール部１８および前記リブ用縦シール部１４により、自立性包装袋１０の保形性が確保されるようになっている。なお、袋胴部１２は、図１において前後に対向する一対の幅広側面１２ａ,１２ａと、左右に対向する幅狭側面１２ｂ,１２ｂとから構成され、各幅広側面１２ａと幅狭側面１２ｂとの間にリブ用縦シール部１４が位置している。また各リブ用縦シール部１４は、対応する左右の幅狭側面１２ｂ,１２ｂに対しては直角に折曲された外方を指向するよう設定される。
【０００９】
前記自立性包装袋１０の袋底面１６を構成するフィルム(袋素材)には、図２に示す如く、袋底面１６を広がった状態に保持可能な方向である一方の対角に亘って直線的に延在するよう梁部としての折線２０が形成されている。また折線２０を挟む両側に、該折線２０を頂部としてフィルムが袋内方側に向けて傾斜するよう折込まれた略三角形状の傾斜部２１および該傾斜部２１の折線２０とは別の各辺部に連設されて袋内側面に沿って重合するよう折込み形成された第１および第２折込重合部５２,５４からなる折込部２２が夫々形成してある。各折込部２２の袋内方側の折込頂部２４は、折線２０が延在する対角とは異なる対角の夫々に一致するよう設定される。そして、袋底面１６において対角線上に延在する折線２０が、袋底面１６を四角形状に広げた状態を維持する梁として作用すると共に、該折線２０を挟む両側に位置する折込部２２,２２も袋底面１６を広がった状態に保持するべく機能する。なお実施例の折線２０は、前記リブ用横シール部１８の下端(袋外方端)より袋内方側に位置し、自立性包装袋１０を自立させた際の安定性を阻害しないよう構成してある。
【００１０】
図３は、前記自立性包装袋１０を展開した状態で示すものであって、該包装袋１０を構成する一枚の矩形状のフィルムシートでは、前記袋底面１６を構成する底面フィルムを挟むフィルムシートの長手方向両側に、前記袋胴部１２を構成する幅広側面１２ａと幅狭側面１２ｂとがフィルムシートの短手方向に平行に並ぶ側面フィルムが、フィルムシートの短手方向に延在する対応する底面第１山折り線２６を境界として夫々連設されている。なお、一方の側面フィルムにおける幅広側面１２ａと幅狭側面１２ｂとの位置と、他方の側面フィルムにおける幅広側面１２ａと幅狭側面１２ｂとの位置は逆になっている。また底面フィルムにおけるフィルムシートの長手方向両側には、各底面第１山折り線２６と平行な所定幅で底面第１シール代２８が夫々設定され、底面フィルムと各側面フィルムとが底面第１山折り線２６で山折りされた状態で、底面第１シール代２８,２８と両側面フィルムとの重合部が溶着されて前記リブ用横シール部１８が形成されている。
【００１１】
前記各側面フィルムにおいて、幅広側面１２ａと幅狭側面１２ｂとは、フィルムシートの短手方向に所定間隔離間してフィルムシートの長手方向に平行に延在する側面山折り線３０と側面第１谷折り線３２とを挟んで位置し、側面フィルムが側面山折り線３０で山折りされると共に側面第１谷折り線３２で谷折りされた状態で、両折り線３０,３２の間に臨む側面第１シール代３４と幅広側面１２ａとの重合部が溶着されて前記リブ用縦シール部１４が形成される。また各側面フィルムにおいて、幅狭側面側におけるフィルムシートの短手方向の開放端から内側に所定間隔離間して側面第２谷折り線３６が平行に形成されると共に、幅広側面側におけるフィルムシートの短手方向の開放端から内側に所定幅で側面第２シール代３８が設定される。そして、一方の側面フィルムにおける側面第２シール代３８と、他方の側面フィルムの側面第２谷折り線３６で谷折りされた側面第３シール代４０との重合部が溶着されて、前記リブ用縦シール部１４が形成されている。
【００１２】
前記底面フィルムでは、両側面フィルムにおける側面山折り線３０と底面第１山折り線２６とが交差する位置から底面第１シール代２８の長さ分だけ直線的に底面第２谷折り線４１が形成される。そして、両底面第２谷折り線４１,４１の間に亘り、前記折線２０が斜めに延在している。また底面フィルムにおけるフィルムシートの短手方向両端部には、前記各側面フィルムにおける側面第２谷折り線３６から底面フィルムにおけるフィルムシートの長手方向の中央部まで底面第２山折り線４４が直線的に延在し、該折り線４４により底面第２シール代４６が形成される。更に、底面フィルムにおけるフィルムシートの長手方向の中央部を挟んで底面第２シール代４６の反対側には、同一幅で前記各側面第２シール代３８まで延在する底面第３シール代４８が形成される。更にまた、底面フィルムにおけるフィルムシートの長手方向の中央と前記各底面第２山折り線４４との交点に、前記折込部２２の折込頂部２４が夫々臨み、各折込頂部２４を基点として折線２０の両端に向かう２本の底面第１谷折り線４２が夫々形成されている。そして底面フィルムが、前記折線２０で山折りされると共に４本の底面第１谷折り線４２で谷折りされることで、折線２０を頂部として袋内方側に傾斜する折込部２２,２２が形成される。なお底面フィルムには、前記各側面フィルムにおける側面第１谷折り線３２から対応する底面第１谷折り線４２と交差する位置まで直線的に延びる底面第３山折り線４５が形成される。
【００１３】
前記底面フィルムにおける前記底面第２シール代４６と底面第３シール代４８との間には、前記底面第１山折り線２６と平行な底面第３谷折り線４３が形成され、該底面第３谷折り線４３で底面フィルムが谷折りされることで、底面第２シール代４６と底面第３シール代４８とがフィルム非溶着面側(外面側)で重合される。すなわち、前記各底面第１谷折り線４２で底面フィルムが谷折りされると共に、前記各底面第１山折り線２６で側面フィルムを山折りした状態で、前記側面第２シール代３８と側面第３シール代４０との間に、非溶着面同士を重合した底面第２シール代４６と底面第３シール代４８とが挟持された状態で重合される。なお、底面第２シール代４６および底面第３シール代４８には、側面第２および第３シール代３８,４０のフィルム溶着面(内面)を露出するための複数の切欠部５０が形成され、袋下部における側面第２シール代３８と側面第３シール代４０とは、底面第２および第３シール代４６,４８の各切欠部５０,５０を介して溶着されている。
【００１４】
前記底面フィルムの折線２０を挟む両側において、底面第１シール代２８、底面第１谷折り線４２および底面第２山折り線４４により、折込部２２を構成する略三角形状の第１折込重合部(折込重合部)５２が画成され、該第１折込重合部５２は、前記側面フィルムの幅狭側面１２ｂ(袋内側面)に沿って袋下端側から袋内方側に向けて重合するよう折込まれている。また底面第１シール代２８、底面第１谷折り線４２および底面第３シール代４８により、折込部２２を構成する略三角形状の第２折込重合部(折込重合部)５４が画成され、該第２折込重合部５４は、側面フィルムの幅広側面１２ａ(袋内側面)に沿って袋下端側から袋内方側に向けて重合するよう折込まれている。なお実施例では、第１折込重合部５２および第２折込重合部５４は、何れも対応する側面１２ａ,１２ｂ(袋内側面)との重合稜線部である各底面第１谷折り線４２において溶着されているが、両重合部５２,５４の全面を溶着するようにしてもよい。また両重合部５２,５４を全面溶着する場合は、前記リブ用横シール部１８も一体的に施されることとなるから、該横シール部１８のみを別途施す工程は不要である。
【００１５】
前記自立性包装袋１０の袋上部には、袋胴部１２における対向する幅狭側面１２ｂ,１２ｂに、各幅狭側面１２ｂを幅方向の中央で袋内方側に折込んだガセット折込み部５６が夫々形成されると共に、一対の幅広側面１２ａ,１２ａを合掌状に重ね合わせて熱溶着した上部横シール部５８が形成されている。
【００１６】
すなわち実施例の自立性包装袋１０では、袋底面１６に形成された折線２０および一対の折込部２２,２２により、該袋底面１６は四角形状に広がった状態に保持され、安定した自立性を確保し得る。
【００１７】
【変更例】
図４および図５は、前述した実施例の変更例を示すものであって、その基本的な構成は前述した実施例と同一であるので、異なる部分についてのみ説明する。すなわち、図４に示す変更例は、前記袋胴部１２の各幅狭側面１２ｂの幅方向中央に、その底部から上部に亘って縦シール部６０が形成される。また図５に示す変更例では、前記袋胴部１２の一方の幅広側面１２ａの幅方向中央に、その底部から上部に亘って縦シール部６２が形成されている。
【００２４】
なおフィルムシートは、片面溶着性のフィルムではなく、両面溶着性のフィルムを用いてもよく、また折込重合部と側面のフィルムが４重状態で溶着される部分のみ両面溶着加工されたものを採用可能である。
【００２５】
【発明の効果】
以上説明した如く、本発明に係る自立性包装袋によれば、袋底面に、底面形状を保持可能な方向に延在する梁部を形成したので、袋底面を常に広がった状態に保持することができる。従って、製袋後の袋に物品を充填する際には、袋底面が所定形状に広がった状態に保持されているので、物品充填を良好に行なうことができる。また物品の充填状態や性状等の違いによって袋における底面の広がり形状に差を生ずることはないので、店頭での陳列時の見栄えを良好にし得る。更に、袋素材自体に、袋底面を広がった状態に保持する梁部および折込部を形成するので、異なる材質の保形材等を用いる必要はなく、分別廃棄の手間を省くことができる。更にまた、袋の製袋過程においてフィルムを折込むことで梁部や折込部を形成することができるから、保形材等を挿入する工程を必要としない。なお、折込部は、袋胴部を構成して交差する２つの側面の内側に沿って重合する第１および第２折込重合部を備えているので、袋底面における保形性を高め、自立性をより良好なものとし得る。
【００２６】
前記折込部の各折込重合部を対応する側面の内側に沿って溶着したので、より一層の保形性、自立性を向上することができる。
【図面の簡単な説明】
【図１】  本発明の好適な実施例に係る自立性包装袋を示す概略斜視図である。
【図２】  実施例に係る自立性包装袋を上部を開口した状態で底面側から視た概略斜視図である。
【図３】  実施例に係る自立性包装袋を展開して袋内面側を示す展開図である。
【図４】  実施例に係る自立性包装袋の変更例を示す概略斜視図である。
【図５】  実施例に係る自立性包装袋の別の変更例を示す概略斜視図である。
【符号の説明】
１２  袋胴部
１２ａ  幅広側面(他方の側面)
１２ｂ  幅狭側面(一方の側面)
１４  リブ用縦シール部(縦シール部)
１６  袋底面
１８  リブ用横シール部(横シール部)
２０  折線(梁部)
２１  傾斜部
２２  折込部
２４  折込頂部
４２  第１谷折り線(別の辺部)
５２  第１折込重合部
５４  第２折込重合部
５６  ガセット折込み部
５８  上部横シール部
【図１】
0003697979.tif 000002
【図２】
0003697979.tif 000003
【図３】
0003697979.tif 000004
【図４】
0003697979.tif 000005
【図５】
0003697979.tif 000006